(57)【要約】【課題】前面枠を本体枠に開閉可能に設け、本体枠に対して前面枠の閉状態を維持する係止手段と、係止手段の係止状態を解錠するシリンダ錠と、を備え、シリンダ錠に係止手段のカム係合部と係合するカムと、操作により解錠可能な鍵を変更可能なリセット操作部材とを備えた遊技機において、簡単な構成でリセット操作部材の不正な操作を防止するとともに、解錠可能な鍵の変更作業を容易にする。【解決手段】駆動機構及びリセット操作部材１７５ｅの周囲を囲み、異物侵入による不正操作を防止する第１周囲壁１９３ａを備えた不正防止カバー１９０を備える。また、不正防止カバー１９０に、リセット操作部材１７５ｅを操作可能な操作部１９３ｂを一体成型する。【選択図】図１０
2008307167.tif 000002
【特許請求の範囲】
【請求項１】
遊技盤が取り付けられる前面枠を本体枠に開閉可能に設け、
前記前面枠の開放側裏面に設けられ、前記本体枠に対して前記前面枠の閉状態を維持する係止手段と、
前記係止手段に設けられ、該係止手段の係止状態を解除する駆動機構と、操作により解錠可能な鍵を変更可能なリセット操作部材とを備えるシリンダ錠と、を備えた遊技機において、
前記駆動機構及び前記リセット操作部材の周囲を囲み、異物侵入による不正操作を防止する第１周囲壁を備えた不正防止カバーを備え、
該不正防止カバーに、前記リセット操作部材を操作可能な操作部を一体成型したことを特徴とする遊技機。
【請求項２】
前記不正防止カバーは、前記操作部の周囲を囲み、異物侵入による不正操作を防止する第２周囲壁を備え、該第２周囲壁は、前記操作部の周囲に操作者の略指１本を挿入可能な操作空間を形成することを特徴とする請求項１に記載の遊技機。
【請求項３】
前記リセット操作部材は、前記シリンダ錠の上部に設けられ、下方に押下するように操作するものであり、
前記第１周囲壁は、前記駆動機構及び前記リセット操作部材の周囲のうち、少なくとも前記前面枠の開放端側と、前記リセット操作部材が設けられた上側に形成され、
前記リセット操作部材の上側を覆う前記第１周囲壁に、前記リセット操作部材を操作可能な前記操作部を、前記第１周囲壁に対して一端部のみが接続して上下に撓むように一体成型し、該操作部を押下して下方に撓ませることで、前記リセット操作部材が押下されるようにしたことを特徴とする請求項１又は２に記載の遊技機。
【発明の詳細な説明】
【技術分野】
【０００１】
本発明は、遊技盤が取り付けられる前面枠を本体枠に開閉可能に設け、前面枠の開放側裏面に設けられ、本体枠に対して前面枠の閉状態を維持する係止手段と、係止手段のベース部材に設けられ、係止手段の係止状態を解錠するシリンダ錠と、を備え、シリンダ錠に係止手段のカム係合部と係合するカムと、操作により解錠可能な鍵を変更可能なリセット操作部材とを備えた遊技機に関する。
【背景技術】
【０００２】
従来、前面枠の隙間からピアノ線やセルなどを挿入して、シリンダ錠に取り付けられたカムや、カムが係合する連結部材の係合部に引っかけて不正に解錠させるのを防止するために、シリンダ錠後部のカムの周辺を不正防止カバーにより覆うようにしている（例えば、特許文献１参照）。また、遊技店の遊技機には、錠本体を交換することなく、リセット操作部を操作することで、鍵を変更できる可変式シリンダ錠が設けられている。この可変式シリンダ錠により、遊技店単位で統一した鍵が使用できるようになると共に、不正防止のために定期的に鍵を変更することが可能になっている（例えば、特許文献２参照）。
【特許文献１】特開２００７−２０９２２号公報
【特許文献２】特開２００４−８１６０５号公報
【発明の開示】
【発明が解決しようとする課題】
【０００３】
しかし、シリンダ錠のリセット操作部は、シリンダ錠の後面側に突出して設けられているため、不正防止カバーを設けた場合には、不正防止カバーに形成した小さな孔に棒状の操作部材を挿入してリセット操作部を操作しなければならなかった。そのため、鍵の変更作業が大変困難であった。
また、特許文献２に記載の遊技機のように、透明部材保持枠を開放してリセット操作部を操作できるようにすることも考えられるが、前面枠と透明部材保持枠との間からピアノ線やセルなどを使用して不正にリセット操作部を操作される虞がある。その上、前面からリセット操作部を操作するようにする機構が必要になってしまう。
【０００４】
本発明の目的は、遊技盤が取り付けられる前面枠を本体枠に開閉可能に設け、前面枠の開放側裏面に設けられ、本体枠に対して前面枠の閉状態を維持する係止手段と、係止手段のベース部材に設けられ、係止手段の係止状態を解錠するシリンダ錠と、を備え、シリンダ錠に係止手段のカム係合部と係合するカムと、操作により解錠可能な鍵を変更可能なリセット操作部材とを備えた遊技機において、簡単な構成でリセット操作部材の不正な操作を防止するとともに、解錠可能な鍵の変更作業を容易にすることである。
【課題を解決するための手段】
【０００５】
以上の課題を解決するため、請求項１に記載の発明は、
遊技盤が取り付けられる前面枠を本体枠に開閉可能に設け、
前記前面枠の開放側裏面に設けられ、前記本体枠に対して前記前面枠の閉状態を維持する係止手段と、
前記係止手段に設けられ、該係止手段の係止状態を解除する駆動機構と、操作により解錠可能な鍵を変更可能なリセット操作部材とを備えるシリンダ錠と、を備えた遊技機において、
前記駆動機構及び前記リセット操作部材の周囲を囲み、異物侵入による不正操作を防止する第１周囲壁を備えた不正防止カバーを備え、
該不正防止カバーに、前記リセット操作部材を操作可能な操作部を一体成型したことを特徴とする。
【０００６】
ここで、「駆動機構及びリセット操作部材の周囲を囲み」とは、駆動機構及びリセット操作部材の周囲を完全に囲むもののほか、一部（例えば、少なくとも前面枠の開放端側と、リセット操作部材に近接する側）を囲むものも含む。
また、「駆動機構」は、例えば、カムとカム係合部である。
【０００７】
請求項１に記載の発明によれば、駆動機構及びリセット操作部材の周囲を囲み、異物侵入による不正操作を防止する第１周囲壁を備えた不正防止カバーを備えるので、リセット操作部材を不正に操作されることがない。また、不正防止カバーに、リセット操作部材を操作可能な操作部を一体成型したので、操作部を形成するために別途の部材を設ける必要がなく簡単な構成となり、組み付け作業が容易になるとともに、コストを下げることができる。また、リセット操作部材の不正な操作を防止できる上、変更作業を行う場合には容易に行うことができ、作業の効率が向上する。
【０００８】
請求項２に記載の発明は、請求項１に記載の遊技機であって、
前記不正防止カバーは、前記操作部の周囲を囲み、異物侵入による不正操作を防止する第２周囲壁を備え、該第２周囲壁は、前記操作部の周囲に操作者の略指１本を挿入可能な操作空間を形成することを特徴とする。
【０００９】
請求項２に記載の発明によれば、不正防止カバーは、操作部の周囲を囲み、異物侵入による不正操作を防止する第２周囲壁を備えるので、操作部を不正に操作されることがない。また、第２周囲壁は、操作部の周囲に操作者の略指１本を挿入可能な操作空間を形成するので、リセット操作部材の操作が容易であり、解錠可能な鍵の変更作業の効率が向上する。
【００１０】
請求項３に記載の発明は、請求項１又は２に記載の遊技機であって、
前記リセット操作部材は、前記シリンダ錠の上部に設けられ、下方に押下するように操作するものであり、
前記第１周囲壁は、前記駆動機構および前記リセット操作部材の周囲のうち、少なくとも前記前面枠の開放端側と、前記リセット操作部材が設けられた上側に形成され、
前記リセット操作部材の上側を覆う前記第１周囲壁に、前記リセット操作部材を操作可能な前記操作部を、前記第１周囲壁に対して一端部のみが接続して上下に撓むように一体成型し、該操作部を押下して下方に撓ませることで、前記リセット操作部材が押下されるようにしたことを特徴とする。
【００１１】
請求項３に記載の発明によれば、操作部を押下して下方に撓ませることで、リセット操作部材が押下されるようにしたので構造が簡単であり、解錠可能な鍵の変更作業の効率が向上する。
【発明の効果】
【００１２】
本発明によれば、駆動機構及びリセット操作部材の周囲を囲み、異物侵入による不正操作を防止する第１周囲壁を備えた不正防止カバーを備えるので、リセット操作部材を不正に操作されることがない。また、不正防止カバーに、リセット操作部材を操作可能な操作部を一体成型したので、操作部を形成するために別途の部材を設ける必要がなく簡単な構成となり、組み付け作業が容易になるとともに、コストを下げることができる。また、リセット操作部材の不正な操作を防止できる上、変更作業を行う場合には容易に行うことができ、作業の効率が向上する。
【発明を実施するための最良の形態】
【００１３】
以下、この発明の実施形態について図面を参照して説明する。
ここでは、本発明にかかる遊技機の適例としてのパチンコ遊技機について図１から図１０を用いて説明を行う。
【００１４】
図１から４に示すように、本実施形態の遊技機１００は、矩形枠状に構成された本体枠１１０を備えている。この矩形枠状の本体枠１１０は、図３に示すように、前面側から見て右側の一辺が金属製とされ、その他の辺は木製となっている。これによって、前面側から見て右側の一辺においては、強度を保ったまま厚みを薄くできるようになっている。また、この金属製の一辺の内周には、施錠装置１６０により前面枠１２０を本体枠１１０に対して回動できない状態に施錠するための被係合部１１１が設けられている。このような本体枠１１０に、矩形枠状の前面枠１２０が前面側から見て左側の側部が該本体枠１１０に対して前方向へ扉状に回動可能となるように軸着されている。
【００１５】
図１，２に示すように、前面枠１２０は、当該前面枠１２０に備えられる各種部材等の取付用のベースとなる前面枠本体１３０と、当該前面枠本体１３０に対して、その前面側に回動可能に軸支されたクリア部材保持枠１４０と、クリア部材保持枠の下側に取り付けられた発射操作を行うための発射操作ユニット１５０とを有する。
【００１６】
前面枠本体１３０は、矩形枠状の本体枠１１０の前面側をちょうど覆うような概略矩形板状に構成され、裏面側から見た右側の側部が本体枠１１０に対して前方向へ扉状に回動可能となるように軸着されている。また、図４に示すように、このように軸着される前面枠本体１３０の開放端側となる裏面側から見た左側の側部には施錠装置１６０が設けられている。また、前面枠本体１３０の中央から上端部にわたる部分には、図示しない遊技盤を嵌め込んで収容するための方形状の開口部１３１が形成されている。そして、前面枠本体１３０に収容された遊技盤の前面が前面枠本体１３０の開口部から前側に臨むようになっている。すなわち遊技盤は、前面枠本体１３０に嵌め込まれることで前面枠１２０に取り付けられている。
【００１７】
この前面枠本体１３０の遊技盤が嵌め込まれる開口部１３１、すなわち、前面枠本体１３０の中央より少し下側から上端部にわたる部分には、図２に示すように、前面枠本体１３０の前側を覆うようにクリア部材保持枠１４０が配置されている。そして、遊技盤の前面とクリア部材保持枠１４０に嵌め込まれたクリア部材としてのガラス板１４１との間であって、図示しない遊技盤の前面に設けられたガイドレールに囲まれた部分が、遊技球が発射されて流下する遊技領域とされ、この遊技領域内に遊技球（打球；遊技媒体）を発射して遊技を行うようになっている。すなわち、クリア部材保持枠１４０において、遊技機１００の前側からガラス板１４１を介して遊技盤の前面側の少なくとも遊技領域の部分が視認可能となっている。
【００１８】
図１，２に示すように、クリア部材保持枠１４０は、一方の側部（遊技機１００の前面側から見て左側の側部）が前面枠本体１３０の一方の側部に回動可能に軸支されて扉状に開閉自在とされ、クリア部材保持枠１４０を開くことにより、遊技盤の前面側の遊技領域の前側を開放可能となっている。また、クリア部材保持枠１４０の前面であって、ガラス板１４１が固定されて遊技領域を視認可能とする部分の周囲には、枠装飾装置としての装飾ランプ・ＬＥＤ１４４、音声を出力するスピーカ１４５，１４５などが設けられている。また、前面枠本体１３０に軸着されたクリア部材保持枠１４０の開放端側となる前面側から見て右側の端部の前面には、施錠装置１６０のシリンダ錠１７５の前端が配され、この前端には鍵穴が形成されている。
【００１９】
また、前面枠本体１３０の前面側のクリア部材保持枠１４０の下側には、発射操作ユニット１５０が取り付けられている。発射操作ユニット１５０は、左右側部のうちの一側部となる左側部を前面枠本体１３０に軸着されて、左右方向に回動して開閉自在な開閉パネル１５１とその下の下部パネル１５２とからなる。開閉パネル１５１は、排出された遊技球を貯留するとともに、遊技球を発射する発射装置に遊技球を送る上皿１５３を有している。この上皿１５３の周囲には、遊技者が操作可能な演出用ボタン（図示略）が設けられている。また、開閉パネル１５１の下側の下部パネル１５２には、上皿１５３に収容しきれない遊技球を収容する下皿１５４が設けられている。また灰皿１５５や、遊技領域に向けての遊技球の発射操作を行うとともに、発射勢を調節するための操作ハンドル１５６、音声を出力するスピーカ１５７などが設けられている。
【００２０】
また、図２に示すように、前面枠本体１３０の裏面側には、遊技機１００としての諸機能を実現するための機構として、例えば、島設備より供給される遊技球を貯留する貯留タンク（図示略）や、球貸要求に応じた球排出や賞球排出を行う排出装置１０２や、遊技盤に設けられた各種入賞口へ入賞して回収された遊技球や何れの入賞口にも入賞せずにアウト口から回収された遊技球を機外の回収球搬送路へ導く遊技球回収機構などが設けられている。また、球排出や打球の発射制御を行う排出・発射制御装置１０３、各部へ所定の電源を供給する電源装置１０４等が設けられている。なお、遊技盤に設けた遊技装置の動作制御などを行うことで遊技の進行を統括的に制御する遊技制御装置は、遊技盤の裏面に取り付けられている。
【００２１】
図２，４に示すように、前面枠本体１３０の裏面の開放端側に取り付けられる施錠装置１６０は、図５から７に示すように、前面枠本体１３０に固定される取付ベース１６１と、該取付ベース１６１に取り付けられた機構部１７０、不正防止カバー１９０とを備える。この施錠装置１６０は、本体枠１１０に対する前面枠１２０の施錠、解錠や、前面枠本体１３０に対するクリア部材保持枠１４０の施錠、解錠を行うためのものである。
【００２２】
図７（ｂ）に示すように、取付ベース１６１は、前壁部１６１ａと、該前壁部１６１ａの側端に垂直に形成された側壁部１６１ｂとを備えるＬ字状の部材で、機構部１７０や不正防止カバー１９０を所定の位置に取り付けるための位置決め部や固定部などが多数形成されている。このＬ字状の取付ベース１６１は、前壁部１６１ａにおける，側壁部１６１ｂが延出していない側の面が左右方向に沿うように前面枠本体１３０の裏面に密着するように配されて、側壁部１６１ｂが前壁部１６１ａにおける前面枠本体１３０の中央側の側端から、前後方向に沿って後方に延出するようになっている。また、前壁部１６１ａと側壁部１６１ｂの接合部分が上下方向に沿って配されるようになっており、前壁部１６１ａ及び側壁部１６１ｂは垂直に配されるようになっている。
【００２３】
機構部１７０は、該機構部１７０を取付ベース１６１に固定する上部支持部材１７１、下部支持部材１７２と、本体枠１１０に対して前面枠１２０を施錠する前面枠施錠部１８０と、前面枠本体１３０に対してクリア部材保持枠１４０を施錠するクリア部材保持枠施錠部１７４と、前面枠施錠部１８０及びクリア部材保持枠施錠部１７４の施錠を解除するためのシリンダ錠１７５とを備える。
【００２４】
上部支持部材１７１は機構部１７０の上端部に設けられており、前壁部１６１ａの裏面に固定する固定部１７１ａを備えるとともに、側壁部１６１ｂに沿って配されて後述する上部係止部材１８１を支持する支持部１７１ｂを備える。また、下部支持部材１７２は、機構部１７０の下端部に設けられており、前壁部１６１ａの裏面に固定する固定部１７２ａを備えるとともに、側壁部１６１ｂに沿って配されて後述する下部係止部材１８２を支持する支持部１７２ｂを備える。
【００２５】
前面枠施錠部１８０は、本体枠１１０に設けられた被係合部１１１に係合する上部係止部材１８１及び下部係止部材１８２と、上部係止部材１８１及び下部係止部材１８２を連動して解錠動作するための連動部１８３とを備える。上部係止部材１８１は、本体枠１１０に設けられた被係合部１１１に係合する切欠き状の係合部１８１ａと、上部支持部材１７１により回動可能に軸支される軸支部１８１ｂ、該軸支部１８１ｂを軸支する軸と平行な軸を介して連動部１８３の上側部分をなす上連動部１８４の上端と回動可能に接続される接続部１８１ｃとを備える。
【００２６】
この上部係止部材１８１は、上部支持部材１７１が取付ベース１６１に固定された状態では、取付ベース１６１の側壁部１６１ｂに沿って前方から軸支部１８１ｂ、接続部１８１ｃ、係合部１８１ａの順に並ぶように配され、軸支部１８１ｂを中心に上下動可能となっている。また、係合部１８１ａは下向きに開口するような向きで、側壁部１６１ｂの後端よりも後方に位置するように配され、本体枠１１０に設けられた被係合部１１１に対して上側から係合するようになっている。そして、接続部１８１ｃに接続した上連動部１８４を上方に動作して上部係止部材１８１を上方へ回動させることで、係合部１８１ａの被係合部１１１に対する係合が解除できるようになっている。
【００２７】
また、下部係止部材１８２は上部係止部材１８１と同様の構成を有しており、本体枠１１０に設けられた被係合部１１１に係合する切欠き状の係合部１８２ａと、下部支持部材１７２により回動可能に軸支される軸支部１８２ｂ、該軸支部１８２ｂを軸支する軸と平行な軸を介して連動部１８３の下側部分をなす下連動部１８６の下端と回動可能に接続される接続部１８２ｃとを備える。この下部係止部材１８２は、下部支持部材１７２が取付ベース１６１に固定された状態では、取付ベース１６１の側壁部１６１ｂに沿って前方から軸支部１８２ｂ、接続部１８２ｃ、係合部１８２ａの順に並ぶように配され、軸支部１８２ｂを中心に上下動可能となっている。また、係合部１８２ａは下向きに開口するような向きで、側壁部１６１ｂの後端よりも後方に位置するように配され、本体枠１１０に設けられた被係合部１１１に対して上側から係合するようになっている。そして、接続部１８２ｃに接続した下連動部１８６を上方に動作して下部係止部材１８２を上方へ回動させることで、係合部１８２ａの被係合部１１１に対する係合が解除できるようになっている。
【００２８】
連動部１８３は、上部に配される上連動部１８４と、該上連動部１８４の下部に接続する中連動部１８５と、該中連動部１８５の下部に接続する下連動部１８６とからなり、側壁部１６１ｂに沿うように上下方向に沿って配されている。上連動部１８４は、上端が上述したように上部係止部材１８１の接続部１８１ｃと軸を介して接続している。また、下端には上下に延在する長孔１８４ａが形成されており、この長孔１８４ａに中連動部１８５側に形成された接続軸１８５ａを挿通することで中連動部１８５と接続されている。この上連動部１８４と中連動部１８５の接続部は、上部係止部材１８１が本体枠１１０に設けられた被係合部１１１に対して係合している状態では、長孔１８４ａの上端に接続軸１８５ａが位置するようになっていて、中連動部１８５を上方に動作することで、上連動部１８４を上方に動作できるようになっている。また、上連動部１８４の後端部には、本体枠１１０に設けられた被係合部１１１に対して上側から係合可能な係合部１８４ｂが形成されている。
【００２９】
下連動部１８６は、下端が上述したように下部係止部材１８２の接続部１８２ｃと軸を介して接続している。また、上端には上下に延在する長孔１８６ａが形成されており、この長孔１８６ａに中連動部１８５側に形成された接続軸１８５ｂを挿通することで中連動部１８５と接続されている。この下連動部１８６と中連動部１８５の接続部は、下部係止部材１８２が本体枠１１０に設けられた被係合部１１１に対して係合している状態では、長孔１８６ａの上端に接続軸１８５ｂが位置するようになっていて、中連動部１８５を上方に動作することで、下連動部１８６を上方に動作できるようになっている。
【００３０】
中連動部１８５は上述したように、上端に上連動部１８４と接続するための接続軸１８５ａが延在方向に対して垂直に形成され、下端に下連動部１８６と接続するための接続軸１８５ｂが延在方向に対して垂直に形成されている。また、中連動部１８５における後述のシリンダ錠１７５に隣接して配される位置には、シリンダ錠１７５のカム１７５ｄに形成された第１係合部１７５ｆと係合する第１カム係合部１８５ｃが形成されている。
【００３１】
このような連動部１８３は、外部から力が加わっていない状態では、上部係止部材１８１、下部係止部材１８２、上連動部１８４の係合部１８４ｂが、本体枠１１０に設けられた被係合部１１１に係合可能な状態となるように、図示しない付勢手段により付勢されている。そして、この状態から後述するシリンダ錠１７５のカム１７５ｄに形成された第１係合部１７５ｆが、第１カム係合部１８５ｃを上方に押し上げることで中連動部１８５が上方へ動作し、これに伴い中連動部１８５に接続した上連動部１８４と下連動部１８６も上方に動作する。そして、上部係止部材１８１、下部係止部材１８２、上連動部１８４の係合部１８４ｂと、本体枠１１０に設けられた被係合部１１１との係合が解除され、前面枠１２０を本体枠１１０に対して開放することができるようになっている。
【００３２】
なお、上連動部１８４と中連動部１８５の接続部は、上部係止部材１８１が被係合部１１１に係合している状態では長孔１８４ａの上端に接続軸１８５ａが位置しており、この状態で上連動部１８４を上方に動作しても、接続軸１８５ａに対して長孔１８４ａが上方に移動するため上連動部１８４のみが上方に移動することとなる。よって、不正に上連動部１８４や上部係止部材１８１が操作されても、上部係止部材１８１と、上連動部１８４に形成された係合部１８４ｂの係合が解除されるが、下部係止部材１７２の係合は解除されず、前面枠１２０を本体枠１１０に対して開放することができないようになっている。
【００３３】
また、下連動部１８６と中連動部１８５の接続部も、下部係止部材１８２が被係合部１１１に係合している状態では長孔１８６ａの上端に接続軸１８５ｂが位置しており、この状態で下連動部１８６を上方に動作しても、接続軸１８５ｂに対して長孔１８６ａが上方に移動するため下連動部１８６のみが上方に移動することとなる。よって、不正に下連動部１８６や下部係止部材１８２が操作されても、下部係止部材１８２の係合が解除されるが、上部係止部材１８１と、上連動部１８４に形成された係合部１８４ｂの係合は解除されず、前面枠１２０を本体枠１１０に対して開放することができないようになっている。すなわち、中連動部１８５を上方に動作した場合のみ上連動部１８４と下連動部１８６が同時に上方へ動作し、上部係止部材１８１、下部係止部材１８２、上連動部１８４の係合部１８４ｂと、本体枠１１０に設けられた被係合部１１１との係合が解除され、前面枠１２０を本体枠１１０に対して開放することができるようになっている。
【００３４】
クリア部材保持枠施錠部１７４は、連動部１８３に沿って上下に延在するように配される本体部１７４ａと、該本体部１７４ａに形成され、クリア部材保持枠１４０に設けられた被係合部に係合するクリア部材保持枠係止部１７４ｂと、を備える。
【００３５】
クリア部材保持枠係止部１７４ｂは、本体部１７４ａの前端部から前方へ延出するように形成されており、前壁部１６１ａに形成されたスリット状の貫通孔１６２を貫通して、前面枠本体１３０の前方へ延出するように配されるようになっている。そして、前面枠本体１３０の前方へ延出する部分には、クリア部材保持枠１４０に設けられた被係合部（図示略）に対して下側から係合するように上方に開口する切欠き状の係合部１７４ｃが形成されている。また、本体部１７４ａにおける後述のシリンダ錠１７５に隣接して配される位置であって、連動部１８３の第１カム係合部１８５ｃに隣接して配される部分には、シリンダ錠１７５のカム１７５ｄに形成された第２係合部１７５ｇと係合する第２カム係合部１７４ｄが形成されている。
【００３６】
このようなクリア部材保持枠施錠部１７４は、外部から力が加わっていない状態では、クリア部材保持枠係止部１７４ｂがクリア部材保持枠１４０に設けられた被係合部に係合可能な状態となるように、図示しない付勢手段により付勢されている。そして、この状態から、後述するシリンダ錠１７５のカム１７５ｄに形成された第２係合部１７５ｇが、第２カム係合部１７４ｄを下方に押し下げることで下方に動作し、クリア部材保持枠係止部１７４ｂとクリア部材保持枠１４０に設けられた被係合部との係合が解除され、クリア部材保持枠１４０を前面枠本体１３０に対して開放できるようになっている。
【００３７】
また、本体部１７４ａの後端部であって上下方向の中央部分には、クリア部材保持枠開放操作部１７４ｅが形成されている。このクリア部材保持枠開放操作部１７４ｅは、中連動部１８５の後端部に形成された切欠き状の配設部１８５ｄに配設され、前面枠１２０の裏面側からクリア部材保持枠施錠部１７４を操作可能とするもので、本体枠１１０に対し前面枠１２０を開放した状態においてクリア部材保持枠１４０を前面枠１２０に対して開放する際に使用する。また、このクリア部材保持枠開放操作部１７４ｅに対して、前面枠本体１３０の開放端側となる側方と上下を覆うようにカバー部材１７６が設けられている。さらに、クリア部材保持枠開放操作部１７４ｅの後方には、後述する中央部不正防止カバー１９２が取り付けられるようになっており、クリア部材保持枠開放操作部１７４ｅに対する不正な操作を防止するようになっている。
【００３８】
図８に示すように、シリンダ錠１７５は、前端に鍵穴が形成されたシリンダ部１７５ａと、前壁部１６１ａに固定するための固定部１７５ｃと、前面枠施錠部１８０の第１カム係合部１８５ｃ及びクリア部材保持枠施錠部１７４の第２カム係合部１７４ｄと係合するカム１７５ｄと、解錠可能な鍵を変更するためのリセット操作部材１７５ｅとを備える。
【００３９】
シリンダ部１７５ａは、前壁部１６１ａに形成されたシリンダ部挿通部１６３に裏面側から挿通されて前面枠本体１３０の前方へ延出し、前端が前面枠１２０の前端に位置するようになっている。また、シリンダ部１７５ａの後端部に形成された固定部１７５ｃがシリンダ部挿通部１６３の周縁に係止されることで、シリンダ部１７５ａが所定の前後位置に配されるようになっている。そして、この固定部１７５ｃを前壁部１６１ａの裏面に固定することでシリンダ錠１７５が取付ベース１６１に固定されるようになっている。
【００４０】
また、シリンダ部１７５ａの前端には鍵穴が形成されており、予め設定された鍵を鍵穴に挿入して回すことで、シリンダ錠１７５の裏面に設けられたカム１７５ｄが同じ方向へ回るようになっている。このカム１７５ｄには、前面枠施錠部１８０及びクリア部材保持枠施錠部１７４が配された側である側壁部１６１ｂ側に延出する第１係合部１７５ｆ及び第２係合部１７５ｇが形成されている。
【００４１】
上述したように、前面枠施錠部１８０及びクリア部材保持枠施錠部１７４は重なって配されており、第１係合部１７５ｆはシリンダ錠１７５側から見て手前側に位置する前面枠施錠部１８０の第１カム係合部１８５ｃに係合可能であり、第２係合部１７５ｇは奥側に位置するクリア部材保持枠施錠部１７４の第２カム係合部１７４ｄに係合可能となっている。そして、第１係合部１７５ｆは、鍵穴に挿入した鍵を前面側から見て時計回り方向に回すことで上方へ回動し、前面枠施錠部１８０に形成された第１カム係合部１８５ｃの上側の周縁に係合して中連動部１８５を上方に押し上げるようになっている。このとき、第２係合部１７５ｇは他の部分と係合しないようになっている。これにより、本体枠１１０に対して前面枠１２０を開放可能となる。また、第２係合部１７５ｇは、鍵穴に挿入した鍵を前面側から見て反時計回り方向に回すことで下方へ回動し、クリア部材保持枠施錠部１７４に形成された第２カム係合部１７４ｄの下側の周縁に係合して本体部１７４ａを下方に押し下げるようになっている。このとき、第１係合部１７５ｆは他の部分と係合しないようになっている。これにより、前面枠本体１３０に対してクリア部材保持枠１４０を開放可能となる。
【００４２】
リセット操作部材１７５ｅは、前壁部１６１ａに取り付けられるシリンダ錠１７５の裏面上部に配され、下方に押下可能なスイッチである。このリセット操作部材１７５ｅは、解錠可能な鍵を変更する際に用いるもので、新たに設定する鍵を鍵穴に挿入し、リセット操作部材１７５ｅを下方に押下した状態で鍵を回すことで、解錠可能な鍵がその鍵に変更される。
【００４３】
図５，６に示すように、機構部１７０の後方側には、機構部１７０に対する不正な操作を防止するための不正防止カバー１９０が取り付けられている。この不正防止カバー１９０は、上連動部１８４と中連動部１８５の接続部分の近傍を覆う上部不正防止カバー１９１と、クリア部材保持枠開放操作部１７４ｅを覆う中央部不正防止カバー１９２と、下連動部１８６と中連動部１８５の接続部分や、シリンダ錠１７５のカム１７５ｄ、カム１７５ｄと係合する第１カム係合部１８５ｃ、第２カム係合部１７４ｄなどを覆う下部不正防止カバー１９３とからなる。
【００４４】
上部不正防止カバー１９１は、上連動部１８４と中連動部１８５の接続部分における前面枠本体１３０の開放端側となる側方と、上下及び後方を覆うようになっている。これにより、上連動部１８４と中連動部１８５の接続部分は、上部不正防止カバー１９１と取付ベース１６１の前壁部１６１ａ及び側壁部１６１ｂにより周囲が囲まれ、前面枠１２０と本体枠１１０の間などから不正に挿入された異物による操作ができないようになっている。
【００４５】
また、中央部不正防止カバー１９２はカバー部材１７６とともに、クリア部材保持枠開放操作部１７４ｅにおける前面枠本体１３０の開放端側となる側方と、上下及び後方を覆うようになっている。これにより、クリア部材保持枠開放操作部１７４ｅは、中央部不正防止カバー１９２とカバー部材１７６、取付ベース１６１の前壁部１６１ａ及び側壁部１６１ｂにより周囲が囲まれ、前面枠１２０と本体枠１１０の間などから不正に挿入された異物による操作ができないようになっている。なお、クリア部材保持枠開放操作部１７４ｅを操作する場合にはこの中央部不正防止カバー１９２を取り外して操作することで操作可能となる。
【００４６】
図９，１０に示すように、下部不正防止カバー１９３は、シリンダ錠１７５のカム１７５ｄや、カム１７５ｄと係合する第１カム係合部１８５ｃ、第２カム係合部１７４ｄにおける前面枠本体の開放端側となる側方と、上下及び後方を覆う第１周囲壁１９３ａを備えている。この第１周囲壁１９３ａと取付ベース１６１の前壁部１６１ａ及び側壁部１６１ｂにより、シリンダ錠１７５のカム１７５ｄ、カム１７５ｄと係合する第１カム係合部１８５ｃ、第２カム係合部１７４ｄの周囲が囲まれる。これにより前面枠１２０と本体枠１１０の間などから不正に挿入された異物による操作ができないようになっている。
【００４７】
また第１周囲壁１９３ａは、第１カム係合部１８５ｃ、第２カム係合部１７４ｄの下方に位置する下連動部１８６と中連動部１８５の接続部分における、前面枠本体１３０の開放端側となる側方と、上方及び後方の一部も覆うようになっている。これにより、下連動部１８６と中連動部１８５の接続部分が第１周囲壁１９３ａと取付ベース１６１の前壁部１６１ａ及び側壁部１６１ｂにより周囲が囲まれ、前面枠１２０と本体枠１１０の間などから不正に挿入された異物による操作ができないようになっている。
【００４８】
また、第１周囲壁１９３ａにおけるシリンダ錠１７５のカム１７５ｄや、カム１７５ｄと係合する第１カム係合部１８５ｃ、第２カム係合部１７４ｄの上側を覆う上面であって、シリンダ錠１７５の裏面上部に設けられたリセット操作部材１７５ｅの上方となる位置には、リセット操作部材１７５ｅを操作するための操作部１９３ｂが形成されている。
【００４９】
この操作部１９３ｂは、第１周囲壁１９３ａの上面における前端から後方へ向けて二本の平行な切り込みを形成することによって、後端のみが接続するように形成された板状の部分で、この接続部分を中心に上下に撓むようになっている。また、図１０（ａ）に示すように、この操作部１９３ｂの前端上部には、操作部１９３ｂを下方に押下しやすくするための突起部１９３ｃが形成され、さらに、この操作部１９３ｂの前端下部には、リセット操作部材１７５ｅの上部に当接する当接部１９３ｄが形成されている。この操作部１９３ｂは、下部不正防止カバー１９３の成形時に一体に成形されるようになっている。
【００５０】
また、下部不正防止カバー１９３には、操作部１９３ｂが形成された第１周囲壁１９３ａの上面に対する前面枠本体１３０の開放端側となる側方と上方を覆うように、第２周囲壁１９３ｅが形成されている。そして、第２周囲壁１９３ｅと、取付ベース１６１の前壁部１６１ａ及び側壁部１６１ｂにより、操作部１９３ｂが形成された第１周囲壁１９３ａの上方に、後方から略指一本が挿入可能な操作空間１９３ｆが形成され、操作部１９３ｂの操作を可能とするとともに、不正な操作を防止するようになっている。
【００５１】
以上のような施錠装置１６０により、鍵穴に所定の鍵を挿入し、時計回り方向に回せば本体枠１１０に対する前面枠１２０の係止が解除され、反時計回り方向に回せば前面枠本体１３０に対するクリア部材保持枠１４０の係止が解除される。また、本体枠１１０に対して開放した状態の前面枠１２０を、本体枠１１０方向に押し込めば、上部係止部材１８１、下部係止部材１８２、上連動部１８４の係合部１８４ｂが、本体枠１１０に設けられた被係合部１１１を乗り越えて上側から係合し、自動的に施錠された状態となる。同様に、前面枠本体１３０に対して開放した状態のクリア部材保持枠１４０を、前面枠本体１３０方向に押し込めば、クリア部材保持枠係止部１７４ｂがクリア部材保持枠１４０に設けられた被係合部を乗り越えて下側から係合し、自動的に施錠された状態となる。
【００５２】
また、このように施錠、解錠を行う駆動機構をなす連動部１８３やカム１７５ｄ、第１カム係合部１８５ｃ、第２カム係合部１７４ｄなどは、不正防止カバー１９０で覆われており、前面枠１２０と本体枠１１０の間などから不正に挿入された異物による操作ができないようになっている。さらに、解錠可能な鍵の変更に用いるリセット操作部材１７５ｅも下部不正防止カバー１９３で覆われ、不正に操作できないようになっているが、正規に解錠可能な鍵の変更作業を行う際には容易に行えるようになっている。
【００５３】
この解錠可能な鍵の変更作業を行う際には、まず、前面枠１２０を本体枠１１０に対して開放した状態とした後、操作空間１９３ｆに後方から指を挿入して操作部１９３ｂを押下する。これにより、図１０（ｂ）に示すように、操作部１９３ｂが下方に撓み、当接部１９３ｄによりリセット操作部材１７５ｅが下方に押下される。この状態で新たに設定する鍵を鍵穴に挿入して回すことで新たな鍵の設定が完了する。このように、下部不正防止カバー１９３を取り付けた状態でも解錠可能な鍵の変更作業が可能となっており、不正の防止と作業の効率化を両立できるようになっている。
【００５４】
なお、以上の実施形態においては、第１周囲壁１９３ａがカム１７５ｄや、カム１７５ｄと係合する第１カム係合部１８５ｃ、第２カム係合部１７４ｄや、リセット操作部材１７５ｅの周囲の一部を囲むとしたが、完全に囲むように形成しても良い。
【００５５】
以上のような遊技機１００は、遊技盤が取り付けられる前面枠１２０を本体枠１１０に開閉可能に設け、前面枠１２０の開放側裏面に設けられ、本体枠１１０に対して前面枠１２０の閉状態を維持する係止手段（施錠装置１６０）と、係止手段に設けられ、該係止手段の係止状態を解除する駆動機構（連動部１８３、カム１７５ｄ、第１カム係合部１８５ｃ、第２カム係合部１７４ｄ）と、操作により解錠可能な鍵を変更可能なリセット操作部材１７５ｅとを備えるシリンダ錠１７５と、を備えた遊技機１００であって、駆動機構及びリセット操作部材１７５ｅの周囲を囲み、異物侵入による不正操作を防止する第１周囲壁１９３ａを備えた不正防止カバー１９０を備え、該不正防止カバー１９０に、リセット操作部材１７５ｅを操作可能な操作部１９３ｂを一体成型している。
【００５６】
したがって、駆動機構及びリセット操作部材１７５ｅの周囲を囲み、異物侵入による不正操作を防止する第１周囲壁１９３ａを備えた不正防止カバー１９０を備えるので、リセット操作部材１７５ｅを不正に操作されることがない。また、不正防止カバー１９０に、リセット操作部材１７５ｅを操作可能な操作部１９３ｂを一体成型したので、操作部１９３ｂを形成するために別途の部材を設ける必要がなく簡単な構成となり、組み付け作業が容易になるとともに、コストを下げることができる。また、リセット操作部材１７５ｅの不正な操作を防止できる上、変更作業を行う場合には容易に行うことができ、作業の効率が向上する。
【００５７】
また、不正防止カバー１９０は、操作部１９３ｂの周囲を囲み、異物侵入による不正操作を防止する第２周囲壁１９３ｅを備え、該第２周囲壁１９３ｅは、操作部１９３ｂの周囲に操作者の略指１本を挿入可能な操作空間１９３ｆを形成する。
【００５８】
したがって、不正防止カバー１９０は、操作部１９３ｂの周囲を囲み、異物侵入による不正操作を防止する第２周囲壁１９３ｅを備えるので、操作部１９３ｂを不正に操作されることがない。また、第２周囲壁１９３ｅは、操作部１９３ｂの周囲に操作者の略指１本を挿入可能な操作空間１９３ｆを形成するので、リセット操作部材１７５ｅの操作が容易であり、解錠可能な鍵の変更作業の効率が向上する。
【００５９】
また、リセット操作部材１７５ｅは、シリンダ錠１７５の上部に設けられ、下方に押下するように操作するものであり、第１周囲壁１９３ａは、駆動機構（連動部１８３、カム１７５ｄ、第１カム係合部１８５ｃ、第２カム係合部１７４ｄ）およびリセット操作部材１７５ｅの周囲のうち、少なくとも前面枠１２０の開放端側と、リセット操作部材１７５ｅが設けられた上側に形成され、リセット操作部材１７５ｅの上側を覆う第１周囲壁１９３ａに、リセット操作部材１７５ｅを操作可能な操作部１９３ｂを、第１周囲壁１９３ａに対して一端部のみが接続して上下に撓むように一体成型し、該操作部１９３ｂを押下して下方に撓ませることで、リセット操作部材１７５ｅが押下されるようにしている。
【００６０】
したがって、操作部１９３ｂを押下して下方に撓ませることで、リセット操作部材１７５ｅが押下されるようにしたので構造が簡単であり、解錠可能な鍵の変更作業の効率が向上する。
【００６１】
なお、本発明の遊技機１００は、遊技機１００として、前記実施の形態に示されるようなパチンコ遊技機に限られるものではなく、例えば、その他のパチンコ遊技機、アレンジボール遊技機、雀球遊技機、パチスロ遊技機などの全ての遊技機に適用可能である。
【００６２】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６３】
【図１】本発明を適用した一実施の形態の構成を示す遊技機の正面図である。
【図２】遊技機の前面側から見た斜視図であって、前面枠本体、クリア部材保持枠を開放した状態を示す図である。
【図３】本体枠の前面側から見た斜視図である。
【図４】前面枠本体の裏面側から見た斜視図である。
【図５】施錠装置の裏面側から見た斜視図である。
【図６】施錠装置の裏面側から見た分解斜視図であって、不正防止カバーを分解した図である。
【図７】（ａ）施錠装置の裏面側から見た斜視図であって、不正防止カバーを取り外した状態を示す図である。（ｂ）施錠装置の裏面側から見た分解斜視図であって、機構部を分解した図である。
【図８】施錠装置の裏面側から見た部分拡大図であって、シリンダ錠が設けられた下部の斜視図である。
【図９】（ａ）下部不正防止カバーの裏面側から見た斜視図である。（ｂ）（ａ）の第２周囲壁を切り取った図である。
【図１０】施錠装置のシリンダ錠が設けられた下部の側部断面図であって、（ａ）操作部が操作されていない状態を示す図、（ｂ）操作部が操作された状態を示す図である。
【符号の説明】
【００６４】
１００    遊技機
１１０    本体枠
１２０    前面枠
１３０    前面枠本体
１６０    施錠装置（係止手段）
１７４ｄ  第２カム係合部（駆動機構）
１７５    シリンダ錠
１７５ｄ  カム（駆動機構）
１７５ｅ  リセット操作部材
１８３    連動部（駆動機構）
１８５ｃ  第１カム係合部（駆動機構）
１９０    不正防止カバー
１９３ａ  第１周囲壁
１９３ｂ  操作部
１９３ｅ  第２周囲壁
１９３ｆ  操作空間
【図１】
2008307167.tif 000003
【図２】
2008307167.tif 000004
【図３】
2008307167.tif 000005
【図４】
2008307167.tif 000006
【図５】
2008307167.tif 000007
【図６】
2008307167.tif 000008
【図７】
2008307167.tif 000009
【図８】
2008307167.tif 000010
【図９】
2008307167.tif 000011
【図１０】
2008307167.tif 000012